(57)【要約】【課題】画像が印刷されていない白紙の用紙が出力されるのを抑制することが可能な画像読取装置を提供する。【解決手段】白紙除去処理部である画像処理制御部３３０は、白紙除去処理および枠消し処理の両方の実行指示を受け付けている場合の処理では、予め設定された白紙検出領域ＢＡと予め設定された有効画像領域である印刷領域ＰＡとが重なる重畳領域を新たな白紙検出領域ＢＡ（ＢＡ１）として再設定し、再設定後の新たな白紙検出領域ＢＡ（ＢＡ１）を白紙検出の対象領域とする。そして画像処理制御部３３０は、新たな白紙検出領域ＢＡ（ＢＡ１）を再設定した場合、新たな白紙検出領域ＢＡ（ＢＡ１）が白紙であるか否かを判断し、新たな白紙検出領域ＢＡ（ＢＡ１）が白紙である原稿の画像データを除去する。【選択図】図１３
2014212578.tif 000002
【特許請求の範囲】
【請求項１】
原稿を読み取る画像読取部と、
前記画像読取部の読み取りによって得られた原稿の画像データに基づき原稿内の予め設
定された白紙検出領域が白紙であるか否かを判断し、前記予め設定された白紙検出領域が
白紙であればその原稿の画像データを除去する白紙除去処理を行う白紙除去処理部と、
前記予め設定された白紙検出領域の位置およびサイズを示す設定値を変更するための操作を受け付ける操作パネルと、
原稿内の予め設定された有効画像領域以外の領域の画像が現れないように前記画像読取部の読み取りによって得られた原稿の画像データを補正する枠消し処理を行う枠消し処理部と、
を備える画像読取装置において、
前記白紙除去処理および前記枠消し処理の両方の実行指示を受け付けている場合の処理では、
前記白紙除去処理部は、前記予め設定された白紙検出領域と前記予め設定された有効画像領域とが重なる重畳領域を新たな白紙検出領域として再設定し、再設定後の前記新たな白紙検出領域を白紙検出の対象領域とするとともに、
前記白紙除去処理部は、前記新たな白紙検出領域を再設定した場合、前記新たな白紙検出領域が白紙であるか否かを判断し、前記新たな白紙検出領域が白紙である原稿の画像データを除去することを特徴とする画像読取装置。
【請求項２】
装置出荷時に、前記予め設定された白紙検出領域の位置およびサイズを示す設定値を記憶する記憶部を有し、
前記白紙検出領域の設定値を変更するための操作が行われなければ、前記記憶部に記憶された前記出荷時の前記予め設定された白紙検出領域の位置およびサイズを示す設定値を採用する、
ことを特徴とする請求項１に記載の画像読取装置。
【請求項３】
前記操作パネルは、前記予め設定された有効画像領域の位置およびサイズを示す設定値を変更するための操作を受け付ける、
ことを特徴とする請求項１または２に記載の画像読取装置。
【請求項４】
前記記憶部は、装置出荷時に、前記予め設定された有効画像領域の位置およびサイズを示す設定値を記憶し、
前記印刷領域の設定値を変更するための操作が行われなければ、前記出荷時の前記有効画像領域の位置およびサイズを示す設定値を採用する、
ことを特徴とする請求項１に記載の画像読取装置。
【請求項５】
前記白紙除去処理部は、前記枠消し処理部が前記枠消し処理を行うのに先立って、前記
白紙除去処理を行うことを特徴とする請求項１から４のいずれかに記載の画像読取装置。
【請求項６】
請求項１または５のいずれかに記載の画像読取装置と、
前記画像読取装置の読み取りによって得られた原稿の画像データに基づき、原稿の画像
を用紙に印刷して出力する印刷出力部と、を備えていることを特徴とする画像形成装置。
【発明の詳細な説明】
【技術分野】
【０００１】
本発明は、画像読取装置および画像形成装置に関する。
【背景技術】
【０００２】
従来から、原稿を読み取って画像データを生成する画像読取装置が知られており、たと
えば、複合機のような画像形成装置に装着される。そして、画像読取装置の読み取りによ
って得られた原稿の画像データは、画像形成装置の印刷出力部に出力され、その印刷出力
部が原稿の画像を用紙に印刷して出力する。
【０００３】
ところで、画像読取装置には、枠消し処理を行うことが可能なものがある。なお、枠消
し処理というのは、原稿内の予め設定された印刷領域以外の領域（枠消し領域）の画像が
印刷されないように原稿の画像データを補正する処理のことである。これにより、ユーザ
ーは、所望の印刷領域を予め設定しておくことにより、所望の印刷領域に含まれる画像の
みを印刷することができる。
【０００４】
さらに、画像読取装置には、白紙除去処理を行うことが可能なものもある（たとえば、
特許文献１参照）。なお、白紙除去処理というのは、原稿内の予め設定された白紙検出領
域が白紙であればその原稿の画像データを除去する処理のことである。これにより、ユー
ザーは、所望の白紙検出領域を予め設定しておくことにより、所望の白紙検出領域が白紙
である原稿の画像データに基づく印刷を停止させることができる。
【先行技術文献】
【特許文献】
【０００５】
【特許文献１】特開２００２−１６５０５４号公報
【発明の概要】
【発明が解決しようとする課題】
【０００６】
画像読取装置は、白紙除去処理および枠消し処理の両方の実行指示をユーザーから受け
付けていれば、白紙除去処理および枠消し処理の両方を実行する。この場合、白紙検出領
域および印刷領域のそれぞれの設定位置（設定サイズ）が互いに異なっていると、以下のような不都合が生じることがある。
【０００７】
たとえば、白紙検出領域および印刷領域のそれぞれの設定位置（設定サイズ）が互いに
異なっていると、予め設定された印刷領域に画像が存在しないにもかかわらず、予め設定
された白紙検出領域に画像が存在することがある。この場合、画像読取装置は、予め設定
された白紙検出領域に画像が存在するため、原稿の画像データを除去せず、予め設定され
た印刷領域以外の領域の画像が印刷されないように原稿の画像データに対して枠消し処理
を施す。そして、画像読取部は、画像処理後の原稿の画像データを印刷出力部に出力する
。その結果、画像が印刷されていない白紙の用紙が出力されるという不都合が生じてしま
う。
【０００８】
本発明は、上記課題を解決するためになされたものであって、画像が印刷されていない
白紙の用紙が出力されるのを抑制することを目的とする。
【課題を解決するための手段】
【０００９】
上記目的を達成するために、本発明の画像読取装置は、原稿を読み取る画像読取部と、画像読取部の読み取りによって得られた原稿の画像データに基づき原稿内の予め設定された白紙検出領域が白紙であるか否かを判断し、予め設定された白紙検出領域が白紙であればその原稿の画像データを除去する白紙除去処理を行う白紙除去処理部と、予め設定された白紙検出領域の位置およびサイズを示す設定値を変更するための操作を受け付ける操作パネルと、原稿内の予め設定された有効画像領域以外の領域の画像が現れないように画像読取部の読み取りによって得られた原稿の画像データを補正する枠消し処理を行う枠消し処理部と、を備えている。そして白紙除去処理および枠消し処理の両方の実行指示を受け付けている場合の処理では、白紙除去処理部は、予め設定された白紙検出領域と予め設定された有効画像領域とが重なる重畳領域を新たな白紙検出領域として再設定し、再設定後の新たな白紙検出領域を白紙検出の対象領域とするとともに、白紙除去処理部は、新たな白紙検出領域を再設定した場合、新たな白紙検出領域が白紙であるか否かを判断し、新たな白紙検出領域が白紙である原稿の画像データを除去する。
【００１０】
本発明の構成では、上記のように、白紙除去処理部は、白紙除去処理および枠消し処理の両方の実行指示を受け付けている場合、予め設定された白紙検出領域と予め設定された有効画像領域とが重なる重畳領域を新たな白紙検出領域として再設定し、再設定後の新たな白紙検出領域を白紙検出の対象領域とする。そして新たな白紙検出領域が白紙であるか否かを判断し、新たな白紙検出領域が白紙である原稿の画像データを除去する。その結果、画像が印刷されていない白紙の用紙が出力されるのを抑制することができる。
【００１１】
上記の構成において、好ましくは、装置出荷時に、予め設定された白紙検出領域の位置およびサイズを示す設定値を記憶部に記憶し、白紙検出領域の設定値を変更するための操作が行われなければ、記憶部に記憶された出荷時の予め設定された白紙検出領域の位置およびサイズを示す設定値を採用する。このように構成すれば、白紙検出領域の設定値を変更するための操作が行われなければ、白紙検出領域の設定値として予め設定された設定値を採用することができる。
【００１２】
上記の構成において、好ましくは、操作パネルは、予め設定された有効画像領域の位置およびサイズを示す設定値を変更するための操作を受け付ける。このように構成すれば、予め設定された有効画像領域の位置およびサイズを変更することができる。
【００１３】
上記の構成において、好ましくは、記憶部は、装置出荷時に、予め設定された有効画像領域の位置およびサイズを示す設定値を記憶し、印刷領域の設定値を変更するための操作が行われなければ、出荷時の有効画像領域の位置およびサイズを示す設定値を採用する。このように構成すれば、有効画像領域の設定値を変更するための操作が行われなければ、有効画像領域の設定値として予め設定された設定値を採用することができる。
【００１４】
上記の構成において、好ましくは、白紙除去処理部は、枠消し処理部が枠消し処理を行
うのに先立って、白紙除去処理を行う。このように構成すれば、白紙検出領域が白紙であ
る場合には、白紙検出領域が白紙である原稿の画像データは除去され、枠消し処理の対象
となる原稿の画像データが無くなるので、枠消し処理を省略することができる。
【００１５】
本発明の画像形成装置は、上記の画像読取装置と、その画像読取装置の読み取りによっ
て得られた原稿の画像データに基づき、原稿の画像を用紙に印刷して出力する印刷出力部
と、を備えている。このように構成された画像形成装置では、画像が印刷されていない白
紙の用紙が出力されるのを抑制することができる。
【発明の効果】
【００１６】
以上のように、本発明によれば、画像が印刷されていない白紙の用紙が出力されるのを
抑制することが可能な画像読取装置および画像形成装置を容易に得ることができる。
【図面の簡単な説明】
【００１７】
【図１】本発明の一実施形態による画像形成装置（画像読取装置）の概略図
【図２】図１に示した画像形成装置に備えられる画像読取装置の詳細図
【図３】図１に示した画像形成装置のハードウェア構成を説明するためのブロック図
【図４】図１に示した画像形成装置において枠消し処理に関する設定（印刷領域（枠消し領域）の設定）を受け付けるときに表示する設定画面を説明するための図
【図５】図１に示した画像形成装置において予め設定される印刷領域（枠消し領域）を説明するための図
【図６】図１に示した画像形成装置において行われる枠消し処理を説明するための図
【図７】図１に示した画像形成装置において白紙除去処理に関する設定（白紙検出領域の設定）を受け付けるときに表示する設定画面を説明するための図
【図８】図１に示した画像形成装置において予め設定される白紙検出領域を説明するための図
【図９】図１に示した画像形成装置において行われる白紙除去処理を説明するための図
【図１０】白紙除去処理および枠消し処理の両方を実行する場合に発生し得る問題点を説明するための図
【図１１】図１に示した画像形成装置において新たに再設定される白紙検出領域を説明するための図
【図１２】図１に示した画像形成装置において再設定後の新たな白紙検出領域を白紙検出の対象領域とした場合の効果を説明するための図
【図１３】図１に示した画像形成装置において原稿を読み取るときの動作を説明するためのフローチャート
【発明を実施するための形態】
【００１８】
（画像読取装置を備える画像形成装置の構成）
まず、コピー、スキャンおよびファックスなどの複数種のジョブの実行が可能な複合機
を例にとって、画像読取装置を備えた画像形成装置の構成について説明する。
【００１９】
図１に示すように、本実施形態の画像形成装置２００では、装置上方に画像読取装置１
００が配置される。そして、画像読取装置１００は、画像読取部１と原稿搬送部２とを含
む。画像読取部１は、原稿Ｄを読み取って画像データを生成する。原稿搬送部２は、画像
読取部１に原稿Ｄを搬送したり、画像読取部１で読み取る原稿Ｄを押えたりする。
【００２０】
また、画像形成装置２００は、給紙部３、用紙搬送部４、画像形成部５および定着部６
で構成される印刷出力部７を備える。そして、印刷出力部７は、画像データに基づき、画
像を用紙Ｐに印刷して出力する。
【００２１】
具体的には、給紙部３は、用紙Ｐを収容するとともに、その収容した用紙Ｐを用紙搬送
部４に供給する。そのため、給紙部３には、収容された用紙Ｐを１枚ずつ引き出して用紙
搬送部４に供給するピックアップローラー３１が設けられている。用紙搬送部４は、給紙
部３から供給された用紙Ｐを画像形成部５および定着部６の順番で搬送する。用紙搬送部
４での用紙Ｐの搬送は、複数の搬送ローラー対４１が行う。複数の搬送ローラー対４１の
うちの１組のローラー対はレジストローラー対４２であり、そのレジストローラー対４２
は、用紙Ｐを画像形成部５の手前で待機させ、タイミングを合わせて画像形成部５に送り
出す。この用紙搬送部４によって搬送される用紙Ｐは、最終的に、排出トレイ４３にまで
導かれる。
【００２２】
画像形成部５は、画像データに基づきトナー像を形成し、そのトナー像を用紙Ｐに転写
する。画像形成部５は、感光体ドラム５１、帯電装置５２、露光装置５３、現像装置５４
、転写ローラー５５およびクリーニング装置５６を含む。
【００２３】
トナー像の形成プロセスおよびトナー像の転写プロセスとしては、まず、感光体ドラム
５１を回転駆動させ、その感光体ドラム５１の表面を帯電装置５２で所定電位に帯電させ
る。また、露光装置５３は、露光用の光を生成する発光素子（図示せず）を有しており、
その発光素子を画像データに基づき点消灯させつつ、感光体ドラム５１の表面を走査露光
する。これにより、感光体ドラム５１の表面に静電潜像を形成する。続いて、現像装置５
４は、感光体ドラム５１の表面に形成された静電潜像にトナーを供給して現像する。
【００２４】
そして、転写ローラー５５は、感光体ドラム５１の表面に圧接する。この後、レジスト
ローラー対４２がタイミングを計り、転写ローラー５５と感光体ドラム５１との間に用紙
Ｐを進入させる。このとき、転写ローラー５５には転写用電圧が印加される。これによっ
て、感光体ドラム５１の表面のトナー像が用紙Ｐに転写される。なお、トナー像の転写プ
ロセスが終わると、クリーニング装置５６は、感光体ドラム５１の表面に残留するトナー
などを除去する。
【００２５】
定着部６は、用紙Ｐに転写されたトナー像を加熱・加圧して定着させる。この定着部６
は、発熱源を内蔵する定着ローラー６１と、定着ローラー６１に圧接される加圧ローラー
６２とを含む。そして、トナー像が転写された用紙Ｐは、定着ローラー６１と加圧ローラ
ー６２との間を通過することで、加熱・加圧される。これにより、用紙Ｐにトナー像が定
着され、印刷が完了する。そして、印刷済みの用紙Ｐは、搬送ローラー対４１によって排
出トレイ４３に送られる。
【００２６】
また、画像形成装置２００は、操作パネル８を備える。操作パネル８は、画像読取装置
１００の正面側に配置され、表示面がタッチパネルで覆われた液晶表示部８１を含む。こ
の液晶表示部８１は、各種設定を受け付けるための設定キーなどを表示する。さらに、操
作パネル８には、数値入力を受け付けるためのテンキー８２が設けられているとともに、
ジョブの実行指示を受け付けるためのスタートキー８３も設けられている。たとえば、画
像読取部１は、スタートキー８３が押下されたことを受けて、原稿Ｄの読み取りを開始す
る。また、操作パネル８には、装置の動作全般に関わるシステムメニュー（図示せず）の
表示指示を受け付けるためのシステムメニューキー８４が設けられている。
【００２７】
（画像読取装置の構成）
次に、本実施形態の画像読取装置１００（画像読取部１および原稿搬送部２）の構成の
一例について説明する。
【００２８】
図２に示すように、原稿搬送部２は、原稿セットトレイ２１にセットされた原稿Ｄを引
き出し、原稿搬送路２２を介して原稿排出トレイ２３に排出する。なお、原稿搬送部２は
、複数枚の原稿Ｄが原稿セットトレイ２１にセットされている場合、複数枚の原稿Ｄのう
ちから、原稿Ｄを１枚ずつ自動的に連続して引き出す。
【００２９】
原稿搬送路２２には、原稿搬送方向の上流側から順に、原稿供給ローラー２４、原稿搬
送ローラー対２５および原稿排出ローラー対２６が設けられている。そして、原稿セット
トレイ２１にセットされた原稿Ｄは、原稿供給ローラー２４によって引き出され、原稿搬
送ローラー対２５によって搬送される。この後、原稿排出ローラー対２６によって、原稿
排出トレイ２３に排出される。
【００３０】
画像読取部１は、箱形の筐体を持つ。その筐体の上面の一方端部には、搬送読取用コン
タクトガラス２０ａが配され、筐体の上面の中央部には、載置読取用コンタクトガラス２
０ｂが配される。
【００３１】
また、搬送読取用コンタクトガラス２０ａおよび載置読取用コンタクトガラス２０ｂの
裏面側（原稿Ｄが接する表面の反対面側）には、ランプ１１、第１ミラー１２、第２ミラ
ー１３、第３ミラー１４、レンズ１５およびラインセンサー１６などが設けられている。
【００３２】
ランプ１１は、搬送読取用コンタクトガラス２０ａの裏面側（または、載置読取用コン
タクトガラス２０ｂの裏面側）から、搬送読取用コンタクトガラス２０ａ（または、載置
読取用コンタクトガラス２０ｂ）に向けて光を照射する。したがって、搬送読取用コンタ
クトガラス２０ａの表面上に原稿Ｄが搬送されている場合（または、載置読取用コンタク
トガラス２０ｂの表面上に原稿Ｄが載置されている場合）には、搬送読取用コンタクトガ
ラス２０ａ（または、載置読取用コンタクトガラス２０ｂ）を透過した光が原稿Ｄを照射
する。原稿Ｄで反射された反射光は、第１ミラー１２、第２ミラー１３および第３ミラー
１４の順で反射され、レンズ１５に導かれる。レンズ１５は、反射光を集光する。
【００３３】
そして、ラインセンサー１６は、原稿Ｄで反射された光（レンズ１５で集光された光）
を受光することによって、原稿Ｄをライン単位で読み取る。このラインセンサー１６は、
読取ライン方向である主走査方向（図２の紙面に対して垂直な方向）に向けてライン状に
並ぶ複数の光電変換素子を有するＣＣＤからなり、反射光を受光すると、ライン単位で画
素毎に光電変換して電荷を蓄積するとともに、蓄積電荷に応じてアナログ信号を出力する
。すなわち、ラインセンサー１６の画素毎の出力値は、反射光の光量に応じて変動する。
【００３４】
さらに、搬送読取用コンタクトガラス２０ａおよび載置読取用コンタクトガラス２０ｂ
の裏面側には、第１移動枠１１１、第２移動枠１１２、ワイヤー１１３および巻取ドラム
１１４が設けられている。
【００３５】
第１移動枠１１１は、ランプ１１および第１ミラー１２を支持している。第２移動枠１
１２は、第２ミラー１３および第３ミラー１４を支持している。そして、第１移動枠１１
１および第２移動枠１１２には、ワイヤー１１３の一端が連結されている。このワイヤー
１１３の他端は巻取ドラム１１４に連結されている。したがって、巻取ドラム１１４が回
転することによって、第１移動枠１１１および第２移動枠１１２が副走査方向（主走査方
向と直交する方向）に移動する。すなわち、ランプ１１、第１ミラー１２、第２ミラー１
３および第３ミラー１４が副走査方向に移動する。
【００３６】
そして、搬送読取用コンタクトガラス２０ａの表面上に搬送される原稿Ｄを読み取る場
合には、巻取ドラム１１４が回転し、第１移動枠１１１および第２移動枠１１２が搬送読
取用コンタクトガラス２０ａの裏面下に移動して静止する。この後、原稿搬送部２が搬送
読取用コンタクトガラス２０ａの表面上に原稿Ｄを搬送する。このとき、搬送読取用コン
タクトガラス２０ａの表面上を通過する原稿Ｄに対してランプ１１が光を照射し、原稿Ｄ
で反射された反射光の光電変換をラインセンサー１６が連続して繰り返し行う。これによ
り、原稿Ｄの読み取りがライン単位で行われる。
【００３７】
一方で、載置読取用コンタクトガラス２０ｂに載置された原稿Ｄを読み取る場合には、
巻取ドラム１１４が回転し、第１移動枠１１１および第２移動枠１１２が副走査方向（正
面から見て左から右に向かう方向）に移動する。そして、第１移動枠１１１および第２移
動枠１１２が副走査方向に移動している最中に、載置読取用コンタクトガラス２０ｂに載
置された原稿Ｄに対してランプ１１が光を照射し、原稿Ｄで反射された反射光の光電変換
をラインセンサー１６が連続して繰り返し行う。これにより、原稿Ｄの読み取りがライン
単位で行われる。
【００３８】
この画像読取部１への原稿搬送部２の取り付けは、背面側に設けられた回転軸（図示せ
ず）を支点として、画像読取部１に対して原稿搬送部２が回動可能（開閉可能）となるよ
うになされている。そして、原稿搬送部２が閉じられた状態（図２の状態）では、画像読
取部１と原稿搬送部２とが重なり、搬送読取用コンタクトガラス２０ａおよび載置読取用
コンタクトガラス２０ｂが原稿搬送部２によって覆われる。
【００３９】
（画像読取装置を備える画像形成装置のハードウェア構成）
次に、画像読取装置１００を備える画像形成装置２００のハードウェア構成の一例につ
いて説明する。
【００４０】
図３に示すように、画像形成装置２００は、中央演算処理装置であるＣＰＵ３１１を有
する主制御部３１０を備える。この主制御部３１０は、記憶部３２０と接続される。記憶
部３２０は、ＲＯＭ、ＲＡＭおよびＨＤＤなどからなり、たとえば、各種のプログラムお
よびデータがＲＯＭに記憶され、ＲＡＭに展開される。
【００４１】
また、主制御部３１０は、印刷出力部７（給紙部３、用紙搬送部４、画像形成部５およ
び定着部６）および操作パネル８と接続される。そして、主制御部３１０は、記憶部３２
０に記憶された各種のプログラムおよびデータに基づき、装置全体の制御を行う。
【００４２】
また、主制御部３１０は、画像読取部１および原稿搬送部２と接続され、画像読取部１
および原稿搬送部２の各動作を制御する。さらに、主制御部３１０は、画像処理制御部３
３０と接続される。画像処理制御部３３０は、画像処理専用のＡＳＩＣおよびメモリーな
どからなっており、主制御部３１０から指示を受け、原稿読取部１の読み取りによって得
られた原稿Ｄの画像データに対して各種の画像処理を施す。そして、画像処理制御部３３
０は、画像処理後の画像データを露光用の画像データ（露光装置５３の発光素子を点消灯
させるための画像データ）に変換し、印刷出力部７に出力する。
【００４３】
また、主制御部３１０は、通信部３４０と接続される。通信部３４０は、たとえば、外
部のコンピューター４００とネットワークを介して通信可能に接続される。これにより、
外部のコンピューター４００から送信された画像データに基づき印刷を行うことができる
とともに、画像読取部１の読み取りによって得られた原稿Ｄの画像データを外部のコンピ
ューター４００に送信することもできる。また、通信部３４０にモデムなどを内蔵しても
よく、この場合、電話回線などのネットワークを介して、外部のファックス装置５００と
ファックス通信を行うことができる。
【００４４】
（枠消し処理）
次に、枠消し処理について説明する。なお、枠消し処理というのは、原稿Ｄ内の予め設
定された印刷領域（「有効画像領域」に相当）以外の領域（枠消し領域）の画像が現れな
いように原稿Ｄの画像データを補正する処理（原稿Ｄ内の予め設定された印刷領域以外の
領域の画素の画素値を変えて内容を消してしまう処理）のことである。すなわち、枠消し
処理が実行されると、原稿Ｄ内の枠消し領域の画像が印刷されない。
【００４５】
枠消し処理は、枠消し処理の実行をユーザーが指示している場合に、画像処理制御部３
３０が行う。一方で、枠消し処理の実行をユーザーが指示していない場合には、画像処理
制御部３３０は枠消し処理を行わない。枠消し処理を実行するか否かの指示をユーザーか
ら受け付けるとき、操作パネル８は、図４に示すような設定画面Ｓ１を表示する。たとえ
ば、操作パネル８は、システムメニューキー８４（図１参照）が押下されると、装置の動
作全般に関わるシステムメニュー（図示せず）を表示する。そして、操作パネル８は、シ
ステムメニューの中から枠消し処理に関する項目が選択されることで、図４に示した設定
画面Ｓ１を表示する。なお、図４に示す設定画面Ｓ１は一例であり、画面レイアウトなど
は変更可能である。
【００４６】
操作パネル８は、設定画面Ｓ１を表示しているとき、「実行する」というソフトキーＫ
１１がタッチされ、続けて「ＯＫ」というソフトキーＫ１２がタッチされることで、枠消
し処理を実行する旨を受け付ける。なお、枠消し処理を実行しない場合には、「実行しな
い」というソフトキーＫ１３をタッチし、続けてソフトキーＫ１２をタッチすればよい。
【００４７】
また、操作パネル８は、設定画面Ｓ１を表示するとき、印刷領域の位置（サイズ）を示
す設定値を表記した表記欄Ｃ１１〜Ｃ１４を設定画面Ｓ１に配する。たとえば、図５に示
す破線で囲まれた領域ＰＡが印刷領域として予め設定されているとする。この場合、表記
欄Ｃ１１には、印刷領域ＰＡの上端と原稿Ｄの上端との間隔Ｄ１１（印刷領域ＰＡの上端
位置）が表記され、表記欄Ｃ１２には、印刷領域ＰＡの下端と原稿Ｄの下端との間隔Ｄ１
２（印刷領域ＰＡの下端位置）が表記される。表記欄Ｃ１３には、印刷領域ＰＡの左端と
原稿Ｄの左端との間隔Ｄ１３（印刷領域ＰＡの左端位置）が表記され、表記欄Ｃ１４には
、印刷領域ＰＡの右端と原稿Ｄの右端との間隔Ｄ１４（印刷領域ＰＡの右端位置）が表記
される。
【００４８】
さらに、設定画面Ｓ１には、印刷領域ＰＡの設定値を変更するためのマイナスキーＫ１
４およびプラスキーＫ１５が配される。操作パネル８は、表記欄Ｃ１１〜Ｃ１４のうちの
いずれかの表記欄がタッチされると、タッチされた表記欄に表記された設定値を変更対象
として確定し、続けてマイナスキーＫ１４またはプラスキーＫ１５がタッチされると、変
更対象の設定値を増減する。
【００４９】
なお、印刷領域ＰＡの位置（サイズ）を示す設定値については、たとえば、装置出荷時
に予め設定された設定値が記憶部３２０に記憶されていてもよい。この場合、印刷領域Ｐ
Ａの設定値を変更するための操作が行われなければ、印刷領域ＰＡの設定値として予め設
定された設定値が採用される。
【００５０】
そして、枠消し処理の実行をユーザーが指示している場合、画像読取部１による原稿Ｄ
の読み取りが行われると、画像処理制御部３３０は、画像読取部１の読み取りによって得
られた原稿Ｄの画像データに対して枠消し処理を施す。たとえば、画像処理制御部３３０
は、原稿Ｄの画像データのうち、予め設定された印刷領域ＰＡ以外の領域の画素値を白に
対応する値に置き換える。このため、図６に示すように、予め設定された印刷領域ＰＡお
よびその印刷領域ＰＡ以外の領域の両方に画像が存在していたとしても、予め設定された
印刷領域ＰＡの画像は印刷されるが、予め設定された印刷領域ＰＡ以外の領域の画像は印
刷されない。
【００５１】
（白紙除去処理）
次に、白紙除去処理について説明する。なお、白紙除去処理というのは、原稿Ｄ内の予
め設定された白紙検出領域が白紙であればその原稿Ｄの画像データを除去する処理のこと
である。
【００５２】
白紙除去処理は、白紙除去処理の実行をユーザーが指示している場合に、画像処理制御
部３３０が行う。一方で、白紙除去処理の実行をユーザーが指示していない場合には、画
像処理制御部３３０は白紙除去処理を行わない。白紙除去処理を実行するか否かの指示を
ユーザーから受け付けるとき、操作パネル８は、図７に示すような設定画面Ｓ２を表示す
る。たとえば、操作パネル８は、システムメニューキー８４（図１参照）が押下されると
、装置の動作全般に関わるシステムメニュー（図示せず）を表示する。そして、操作パネ
ル８は、システムメニューの中から白紙除去処理に関する項目が選択されることで、図７
に示した設定画面Ｓ２を表示する。なお、図７に示す設定画面Ｓ２は一例であり、画面レ
イアウトなどは変更可能である。
【００５３】
操作パネル８は、設定画面Ｓ２を表示しているとき、「実行する」というソフトキーＫ
２１がタッチされ、続けて「ＯＫ」というソフトキーＫ２２がタッチされることで、白紙
除去処理を実行する旨を受け付ける。なお、白紙除去処理を実行しない場合には、「実行
しない」というソフトキーＫ２３をタッチし、続けてソフトキーＫ２２をタッチすればよ
い。
【００５４】
また、操作パネル８は、設定画面Ｓ２を表示するとき、白紙検出領域の位置（サイズ）
を示す設定値を表記した表記欄Ｃ２１〜Ｃ２４を設定画面Ｓ２に配する。たとえば、図８
に示す破線で囲まれた領域ＢＡが白紙検出領域として設定されているとする。この場合、
表記欄Ｃ２１には、白紙検出領域ＢＡの上端と原稿Ｄの上端との間隔Ｄ２１（白紙検出領
域ＢＡの上端位置）が表記され、表記欄Ｃ２２には、白紙検出領域ＢＡの下端と原稿Ｄの
下端との間隔Ｄ２２（白紙検出領域ＢＡの下端位置）が表記される。表記欄Ｃ２３には、
白紙検出領域ＢＡの左端と原稿Ｄの左端との間隔Ｄ２３（白紙検出領域ＢＡの左端位置）
が表記され、表記欄Ｃ２４には、白紙検出領域ＢＡの右端と原稿Ｄの右端との間隔Ｄ２４
（白紙検出領域ＢＡの右端位置）が表記される。
【００５５】
さらに、設定画面Ｓ２には、白紙検出領域ＢＡの設定値を変更するためのマイナスキー
Ｋ２４およびプラスキーＫ２５が配される。操作パネル８は、表記欄Ｃ２１〜Ｃ２４のう
ちのいずれかの表記欄がタッチされると、タッチされた表記欄に表記された設定値を変更
対象として確定し、続けてマイナスキーＫ２４またはプラスキーＫ２５がタッチされると
、変更対象の設定値を増減する。
【００５６】
なお、白紙検出領域ＢＡの位置（サイズ）を示す設定値については、たとえば、装置出
荷時に予め設定された設定値が記憶部３２０に記憶されていてもよい。この場合、白紙検
出領域ＢＡの設定値を変更するための操作が行われなければ、白紙検出領域ＢＡの設定値
として予め設定された設定値が採用される。
【００５７】
そして、白紙除去処理の実行をユーザーが指示している場合、画像読取部１による原稿
Ｄの読み取りが行われると、画像処理制御部３３０は、画像読取部１の読み取りによって
得られた原稿Ｄの画像データに基づき、原稿Ｄ内の白紙検出領域ＢＡが白紙であるか否か
を判断する。たとえば、画像処理制御部３３０は、原稿Ｄ内の白紙検出領域ＢＡの有色画
素数（モノクロ画像であれば黒の画素数であり、カラーであれば原稿Ｄの地肌色以外の色
の画素数）が予め定められた閾値を下回る場合に、原稿Ｄ内の白紙検出領域ＢＡが白紙で
あると判断する。そして、画像処理制御部３３０は、白紙検出領域ＢＡが白紙である原稿
Ｄの画像データを除去する（枠消し処理は行わない）。すなわち、画像処理制御部３３０
は、白紙検出領域ＢＡが白紙である原稿Ｄの画像データを印刷出力部７に出力しない。こ
のため、図９に示すように、予め設定された白紙検出領域ＢＡに画像が存在しなければ、
原稿Ｄの画像データが除去され、結果として、印刷は行われない。
【００５８】
（白紙除去処理および枠消し処理の両方の実行指示を受け付けている場合の処理）
次に、白紙除去処理および枠消し処理の両方の実行指示を受け付けている場合の処理に
ついて説明する。
【００５９】
白紙除去処理および枠消し処理の両方の実行指示を受け付けている場合、画像処理制御
部３３０は、枠消し処理を行うのに先立って、白紙除去処理を行う。そして、画像処理制
御部３３０は、白紙除去処理時に除去しなかった原稿Ｄの画像データに対して枠消し処理
などの画像処理を施し、画像処理後の原稿Ｄの画像データを印刷出力部７に出力する。
【００６０】
ここで、たとえば、図１０に示すように、原稿Ｄ内の予め設定された白紙検出領域ＢＡ
に画像が存在し、原稿Ｄ内の予め設定された印刷領域ＰＡに画像が存在しない状態におい
て、原稿Ｄ内の予め設定された白紙検出領域ＢＡが白紙検出の対象領域となっていると、
以下のような不都合が生じることがある。
【００６１】
すなわち、図１０に示す例では、原稿Ｄ内の予め設定された白紙検出領域ＢＡに画像が
存在する。このため、画像処理制御部３３０は、白紙除去処理時に、原稿Ｄ内の予め設定
された白紙検出領域ＢＡが白紙でないことから、原稿Ｄの画像データを除去しない。その
後、画像処理制御部３３０は、原稿Ｄ内の予め設定された印刷領域ＰＡ以外の領域の画像
が印刷されないように、原稿Ｄの画像データに対して枠消し処理などの画像処理を施す。
そして、画像処理制御部３３０は、画像処理後の原稿Ｄの画像データを印刷出力部７に出
力する。ここで、図１０に示す例では、原稿Ｄ内の予め設定された印刷領域ＰＡには画像
が存在しない。したがって、画像が印刷されていない白紙の用紙Ｐが出力されるという不
都合が生じてしまう。
【００６２】
そこで、本実施形態では、画像処理制御部３３０は、枠消し処理を行う場合に白紙除去
処理を行うとき、図１１に示すように、予め設定された白紙検出領域ＢＡと予め設定され
た印刷領域ＰＡとが重なる重畳領域を新たな白紙検出領域ＢＡ（ＢＡ１）として再設定す
る。そして、画像処理制御部３３０は、再設定後の新たな白紙検出領域ＢＡ（ＢＡ１）を
白紙検出の対象領域とする。なお、図１１では、再設定後の新たな白紙検出領域ＢＡ（Ｂ
Ａ１）を太線で示している。
【００６３】
たとえば、画像処理制御部３３０は、予め設定された白紙検出領域ＢＡおよび予め設定
された印刷領域ＰＡのそれぞれの副走査方向（図面縦方向）の幅に基づき、予め設定され
た白紙検出領域ＢＡと予め設定された印刷領域ＰＡとが重なる重畳領域の副走査方向（図
面縦方向）の幅を算出する。また、画像処理制御部３３０は、予め設定された白紙検出領
域ＢＡおよび予め設定された印刷領域ＰＡのそれぞれの主走査方向（図面横方向）の幅に
基づき、予め設定された白紙検出領域ＢＡと予め設定された印刷領域ＰＡとが重なる重畳
領域の主走査方向（図面横方向）の幅を算出する。
【００６４】
たとえば、印刷領域ＰＡの上端位置を示す間隔Ｄ１１（図５参照）と白紙検出領域ＢＡ
の上端位置を示す間隔Ｄ２１（図８参照）とを比較して重畳領域の上端位置を求め、印刷
領域ＰＡの下端位置を示す間隔Ｄ１２（図５参照）と白紙検出領域ＢＡの下端位置を示す
間隔Ｄ２２（図８参照）とを比較して重畳領域の下端位置を求めることにより、白紙検出
領域ＢＡと印刷領域ＰＡとが重なる重畳領域の副走査方向（図面縦方向）の幅を算出する
ことができる。また、印刷領域ＰＡの左端位置を示す間隔Ｄ１３（図５参照）と白紙検出
領域ＢＡの左端位置を示す間隔Ｄ２３（図８参照）とを比較して重畳領域の左端位置を求
め、印刷領域ＰＡの右端位置を示す間隔Ｄ１４（図５参照）と白紙検出領域ＢＡの右端位
置を示す間隔Ｄ２４（図８参照）とを比較して重畳領域の右端位置を求めることにより、
白紙検出領域ＢＡと印刷領域ＰＡとが重なる重畳領域の主走査方向（図面横方向）の幅を
算出することができる。
【００６５】
ここで、図１１に示す例では、予め設定された白紙検出領域ＢＡには画像が存在する一
方で、予め設定された印刷領域ＰＡには画像が存在しない。したがって、白紙除去処理時
の白紙検出が予め設定された白紙検出領域ＢＡでそのまま行われると、画像が印刷されて
いない白紙の用紙Ｐが出力される（図１０参照）。
【００６６】
しかし、再設定後の新たな白紙検出領域ＢＡ（ＢＡ１）には画像が存在しない。このた
め、画像処理制御部３３０は、白紙除去処理時に、再設定後の新たな白紙検出領域ＢＡ（
ＢＡ１）が白紙であることから、原稿Ｄの画像データを除去する。すなわち、画像処理制
御部３３０は、原稿Ｄの画像データを印刷出力部７に出力しない。したがって、画像が印
刷されていない白紙の用紙Ｐが出力されることはない（図１２参照）。
【００６７】
（原稿の読み取り動作の流れ）
次に、図１３のフローチャートを参照して、白紙除去処理および枠消し処理の両方の実
行指示を受け付けている場合の原稿Ｄの読み取り動作の流れを説明する。
【００６８】
まず、図１３のフローチャートのスタート時点では、白紙除去処理および枠消し処理の
両方の実行指示を受け付けているとする。すなわち、白紙検出領域ＢＡおよび印刷領域Ｐ
Ａが予め設定されているとする。そして、コピージョブの実行指示を受け付けたとき、図
１３のフローチャートがスタートする。
【００６９】
ステップＳ１において、画像処理制御部３３０は、予め設定された白紙検出領域ＢＡお
よび予め設定された印刷領域ＰＡを判別する。ステップＳ２において、画像処理制御部３
３０は、予め設定された白紙検出領域ＢＡと予め設定された印刷領域ＰＡとが重なる重畳
領域を判別する。ステップＳ３において、画像処理制御部３３０は、判別した重畳領域を
新たな白紙検出領域ＢＡ（ＢＡ１）として再設定する。
【００７０】
ステップＳ４において、主制御部３１０は、画像読取装置１００に指示し、原稿Ｄの読
み取りを開始させる。
【００７１】
ステップＳ５において、画像処理制御部３３０は、画像読取部１の読み取りによって得
られた原稿Ｄの画像データに基づき、再設定後の新たな白紙検出領域ＢＡ（ＢＡ１）が白
紙であるか否かを判断する。判断の結果、再設定後の新たな白紙検出領域ＢＡ（ＢＡ１）
が白紙でなければ、ステップＳ６に移行する。
【００７２】
ステップＳ６に移行すると、画像処理制御部３３０は、原稿Ｄの画像データに対して枠
消し処理を施す。すなわち、画像処理制御部３３０は、予め設定された印刷領域ＰＡ以外
の領域の画像が印刷されないように、原稿Ｄの画像データを補正する。その後、ステップ
Ｓ７において、画像処理制御部３３０は、画像処理後の原稿Ｄの画像データを印刷出力部
７に出力する。
【００７３】
一方で、ステップＳ５において、再設定後の新たな白紙検出領域ＢＡ（ＢＡ１）が白紙
である場合には、ステップＳ８に移行する。ステップＳ８に移行すると、画像処理制御部
３３０は、原稿Ｄの画像データを除去する。すなわち、画像処理制御部３３０は、原稿Ｄ
の画像データを印刷出力部７に出力しない。
【００７４】
本実施形態による画像読取装置１００は、上記のように、原稿Ｄを読み取る画像読取部
１と、画像読取部１の読み取りによって得られた原稿Ｄの画像データに基づき原稿Ｄ内の
予め設定された白紙検出領域ＢＡが白紙であるか否かを判断し、予め設定された白紙検出
領域ＢＡが白紙である原稿Ｄの画像データを除去する白紙除去処理を行うとともに、原稿
Ｄ内の予め設定された印刷領域ＰＡ以外の領域の画像が印刷されないように原稿Ｄの画像
データを補正する枠消し処理を行う画像処理制御部３３０（白紙除去処理部、枠消し処理
部）と、を備えている。そして、画像処理制御部３３０は、枠消し処理を行う場合に白紙
除去処理を行うとき、予め設定された白紙検出領域ＢＡと予め設定された印刷領域ＰＡと
が重なる重畳領域を新たな白紙検出領域ＢＡ（ＢＡ１）として再設定し、再設定後の新た
な白紙検出領域ＢＡ（ＢＡ１）を白紙検出の対象領域とする。すなわち、画像処理制御部
３３０は、枠消し処理を行う場合に白紙除去処理を行うとき、予め設定された白紙検出領
域ＢＡのうち、予め設定された印刷領域ＰＡの少なくとも一部を含む領域を白紙検出の対
象領域とし、予め設定された印刷領域ＰＡを全く含まない領域は白紙検出の対象領域とは
しない。これにより、画像処理制御部３３０は、予め設定された印刷領域ＰＡに画像が存
在しない原稿Ｄの読み取りが行われた場合、確実に、その原稿Ｄの画像データを除去する
。その結果、画像が印刷されていない白紙の用紙Ｐが出力されるのを抑制することができ
る。
【００７５】
また、本実施形態では、上記のように、画像処理制御部３３０は、枠消し処理を行うの
に先立って、白紙除去処理を行う。このように構成すれば、白紙検出領域ＢＡが白紙であ
る場合には、白紙検出領域ＢＡが白紙である原稿Ｄの画像データは除去され、枠消し処理
の対象となる原稿Ｄの画像データが無くなるので、枠消し処理を省略することができる。
【００７６】
今回開示された実施形態は、すべての点で例示であって、制限的なものではないと考え
られるべきである。本発明の範囲は、上記実施形態の説明ではなく特許請求の範囲によっ
て示され、さらに、特許請求の範囲と均等の意味および範囲内でのすべての変更が含まれ
る。
【００７７】
たとえば、上記実施形態では、画像読取装置の読み取りによって得られた原稿の画像デ
ータに基づく画像を用紙に印刷して出力する場合を例にとって説明したが、本発明はこれ
に限らない。一例として、画像読取装置とパーソナルコンピューターなどの表示装置とを
通信可能に接続し、画像読取装置の読み取りによって得られた原稿の画像データに基づく
画像を表示装置に表示させる場合がある。この場合、本発明の画像読取装置の読み取りに
よって得られた原稿の画像データに基づく画像を表示装置に表示させるようにすれば、白
紙原稿を読み取ったときのような画像が表示されるのを抑制することができる。
【符号の説明】
【００７８】
１  画像読取部
７  印刷出力部
１００  画像読取装置
２００  画像形成装置
３３０  画像処理制御部（白紙除去処理部、枠消し処理部）
ＢＡ、ＢＡ１  白紙検出領域
ＰＡ  印刷領域（有効画像領域）
【図１】
2014212578.tif 000003
【図２】
2014212578.tif 000004
【図３】
2014212578.tif 000005
【図４】
2014212578.tif 000006
【図５】
2014212578.tif 000007
【図６】
2014212578.tif 000008
【図７】
2014212578.tif 000009
【図８】
2014212578.tif 000010
【図９】
2014212578.tif 000011
【図１０】
2014212578.tif 000012
【図１１】
2014212578.tif 000013
【図１２】
2014212578.tif 000014
【図１３】
2014212578.tif 000015